【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
ライン毎に作業が割り当てられた業務を管理する業務管理装置であって、
業務を遂行するための作業の実績情報であって、作業内容を識別する実績識別情報、作業時間である実績作業時間情報を含む実績情報と、受注した業務を遂行するための作業を手配する手配情報であって、作業内容を識別する手配識別情報、受注した業務の納期である手配納期情報を含む手配情報と、を少なくとも記憶する記憶部と、
実績情報に基づいて、手配情報をラインに割り当てた業務計画を作成し、作成した業務計画を表示部に表示させる業務計画手段を含む処理部と、
業務計画を少なくとも表示する表示部と、
を備える業務管理装置であって、
業務計画手段は、業務計画として、手配情報を含み、かつ、当該手配情報毎に区切られた領域からなる手配小領域をラインと関連付けて並べて表示部に表示させる、業務管理装置。
【請求項２】
業務計画手段は、作業が完了した手配情報に対応する完了手配小領域、作業中の手配情報に対応する作業中手配小領域、これから作業する手配情報に対応する予定手配小領域を夫々識別できるようにして、表示部に表示させる、請求項１に記載の業務管理装置。
【請求項３】
ライン毎に作業が割り当てられた業務を管理する業務管理装置であって、
作業の実績情報であって、作業内容を識別する実績識別情報としてラインで生産した製品の識別情報からなる実績識別情報、生産した製品の作業時間である実績作業時間情報、生産した製品の数量である実績数量情報を含む実績情報と、受注した業務を遂行するための作業を手配する手配情報であって、作業内容を識別する手配識別情報として生産する製品の識別情報からなる手配識別情報、生産する製品の納期である手配納期情報、生産する製品の数量である手配数量情報を含む手配情報と、を少なくとも記憶する記憶部と、
実績情報に基づいて、手配情報をラインに割り当てた業務計画を作成し、作成した業務計画を表示部に表示させる業務計画手段を含む処理部と、
業務計画を少なくとも表示する表示部と、
を備える業務管理装置であって、
業務計画手段は、業務計画として、手配情報を含み、かつ、当該手配情報毎に区切られた領域からなる手配小領域をラインと関連付けて並べて表示部に表示させる、業務管理装置。
【請求項４】
業務計画手段は、生産が完了した手配情報に対応する完了手配小領域、生産中の手配情報に対応する生産中手配小領域、これから生産する手配情報に対応する予定手配小領域を夫々識別できるようにして、表示部に表示させる、請求項３に記載の業務管理装置。
【請求項５】
手配情報は、製品を構成する部品を準備するピッキング作業の完了の有無に関するピッキング情報と、製品が所定期間生産されていなかった製品であるか否かに関する間隔情報と、製品を生産した際にトラブルがあったか否かに関するトラブル情報と、のうち少なくとも何れか一つの情報を更に含み、
業務計画手段は、ピッキング情報と、間隔情報と、トラブル情報とのうち少なくとも何れか一つの情報を更に含む手配情報に対応する手配小領域を表示部に表示させる、請求項３又は４に記載の業務管理装置。
【請求項６】
業務計画手段は、実績情報が所定数蓄積されると、実績情報を選別して修正する実績情報の最適化処理を繰り返し、最適化処理された実績情報に基づいて、製品の完成予測時間を算出する、請求項３から５の何れか１項に記載の業務管理装置。
【請求項７】
業務計画手段は、実績情報が所定数蓄積されると、所定数の実績情報をグルーピングし、グルーピングした所定数の実績情報の平均値を算出し、実績情報の平均値を含めて、実績情報が所定数蓄積されると、平均値を含む所定数の実績情報をグルーピングし、グルーピングした所定数の実績情報の平均値を算出する処理を繰り返し、最適化処理された実績情報に基づいて、製品の完成予測時間を算出する、請求項３から５の何れか１項に記載の業務管理装置。
【請求項８】
業務計画手段は、最適化処理された実績情報が所定の条件を満たすと通知する、請求項６又は７に記載の業務管理装置。
【請求項９】
手配小領域の選択、生産計画を計画するために必要な情報の入力、及び変更を含む指示を受け付ける操作部を更に備え、
業務計画手段は、操作部によって特定の手配小領域が選択されると、選択された手配小領域に対応する製品の完成予測時間を生産計画が表示される表示部の画面内に表示させる、請求項６又は７に記載の業務管理装置。
【請求項１０】
ライン毎に作業が割り当てられた業務を管理する業務管理方法であって、
作業の実績情報であって、作業内容を識別する実績識別情報としてラインで生産した製品の識別情報からなる実績識別情報、生産した製品の作業時間である実績作業時間情報、生産した製品の数量である実績数量情報を含む実績情報と、受注した業務を遂行するための作業を手配する手配情報であって、生産する製品を識別する手配識別情報、生産する製品の納期である手配納期情報、生産する製品の数量である手配数量情報を含む手配情報と、を少なくとも記憶部に記憶させる記憶処理と、
実績情報に基づいて、手配情報をラインに割り当てた業務計画を作成し、作成した業務計画を表示部に表示させる業務計画処理と、
を含む業務管理方法であって、
業務計画処理では、業務計画として、手配情報を含み、かつ、当該手配情報毎に区切られた領域からなる手配小領域をラインと関連付けて並べて表示部に表示させる、業務管理方法。
【請求項１１】
ライン毎に作業が割り当てられた業務を管理する業務管理プログラムであって、
作業の実績情報であって、作業内容を識別する実績識別情報としてラインで生産した製品の識別情報からなる実績識別情報、生産した製品の作業時間である実績作業時間情報、生産した製品の数量である実績数量情報を含む実績情報と、受注した業務を遂行するための作業を手配する手配情報であって、生産する製品を識別する手配識別情報、生産する製品の納期である手配納期情報、生産する製品の数量である手配数量情報を含む手配情報と、を少なくとも記憶部に記憶させる記憶処理と、
実績情報に基づいて、手配情報をラインに割り当てた業務計画を作成し、作成した業務計画を表示部に表示させる業務計画処理と、
を含む処理をコンピュータに実行させる業務管理プログラムであって、
業務計画処理では、業務計画として、手配情報を含み、かつ、当該手配情報毎に区切られた領域からなる手配小領域をラインと関連付けて並べて表示部に表示させる、業務管理プログラム。
【手続補正２】
【補正対象書類名】明細書
【補正対象項目名】００１９
【補正方法】変更
【補正の内容】
【００１９】
また、業務計画手段は、実績情報に基づいて、製品の完成予測時間を算出してもよい。詳細には、業務計画手段は、実績情報が所定数蓄積されると、実績情報を選別して修正する実績情報の最適化処理を繰り返し、最適化処理された実績情報に基づいて、製品の完成予測時間を算出するようにしてもよい。より詳細には、業務計画手段は、実績情報が所定数蓄積されると、所定数の実績情報をグルーピングし、グルーピングした所定数の実績情報の平均値を算出し、実績情報の平均値を含めて、実績情報が所定数蓄積されると、平均値を含む所定数の実績情報をグルーピングし、グルーピングした所定数の実績情報の平均値を算出する処理を繰り返し、最適化処理された実績情報に基づいて、製品の完成予測時間を算出するようにしてもよい。
【手続補正３】
【補正対象書類名】明細書
【補正対象項目名】００２１
【補正方法】変更
【補正の内容】
【００２１】
また、業務計画手段は、最適化処理された実績情報が所定の条件を満たすと通知するようにしてもよい。所定の条件には、生産性が向上した場合や、生産性が低下した場合が例示される。これにより、生産性が向上したことや生産性が低下したことを周知できる。